(57)【要約】【課題】加工が容易な部品から構成の簡素な低コストの変速機用の同期装置を提供する。【解決手段】スリーブ１５と、スリーブ１５の内周スプライン１５ａに噛合する外周スプライン２１およびスリーブ側に向かって突出するコーン部２２を有するギヤピース１４と、スリーブ１５およびギヤピース１４の間で内周スプライン１５ａに噛合する外側の噛合歯１７ｂおよびギヤピース１４のコーン部２２に係合する傾斜摩擦面１７ａを有するシンクロナイザリング１７とを備える同期装置において、内周スプライン１５ａの端部が、小径側でのチャンファ角が小さく、大径側でのチャンファ角が大きくなるよう小径側と大径側で異なるチャンファ角を有し、シンクロナイザリング１７の噛合歯１７ｂの端部が、内周スプライン１５ａの大径側に係合し、ギヤピース１４の外周スプライン２１の端部が、内周スプライン１５ａの小径側に係合するよう小径部側ほどスリーブ１５側に向かって突出している。【選択図】図１
2009236180.tif 000002
【特許請求の範囲】
【請求項１】
回転軸に対し回転方向に一体でかつ軸方向に移動可能に支持された内周スプライン付のスリーブと、前記スリーブが軸方向に移動するとき前記スリーブの内周スプラインに噛合する外周スプラインおよび前記スリーブ側に向かって軸方向に突出するコーン部を有するギヤピースと、前記スリーブおよび前記ギヤピースの間に位置し、前記スリーブが軸方向に移動するとき前記スリーブの内周スプラインに噛合する外側の噛合歯および前記ギヤピースのコーン部に係合する傾斜摩擦面を有するシンクロナイザリングと、を備え、前記スリーブの内周スプラインの端部と、該内周スプラインの端部に対向する前記ギヤピースの外周スプラインおよび前記シンクロナイザリングの噛合歯の端部とが、それぞれ軸方向に尖ったチャンファ形状を有する同期装置において、
前記スリーブの内周スプラインの端部が、前記内周スプラインの小径側でのチャンファ角が小さく前記内周スプラインの大径側でのチャンファ角が大きくなるよう小径側と大径側で異なるチャンファ角を有し、
前記シンクロナイザリングの噛合歯の端部が、前記スリーブの内周スプラインの大径側に係合し、
前記ギヤピースの外周スプラインの端部が、前記スリーブの内周スプラインの小径側に係合するよう該外周スプラインの小径部側ほど前記スリーブ側に向かって突出していることを特徴とする同期装置。
【請求項２】
前記ギヤピースの外周スプラインの端部が、予め設定された半径位置から大径側を切り欠いた形状をなし、前記スリーブの内周スプラインの小径側に係合することを特徴とする請求項１に記載の同期装置。
【請求項３】
前記内周スプラインの小径側から前記内周スプラインの大径側へと前記チャンファ角が連続的に大きくなっていることを特徴とする請求項１または請求項２に記載の同期装置。
【請求項４】
前記スリーブの内周スプラインの端部および前記シンクロナイザリングの噛合歯の端部が、互いに大径側で近付くように傾斜した尖端の稜線を有することを特徴とする請求項１ないし請求項３のうちいずれか１の請求項に記載の同期装置。
【請求項５】
前記シンクロナイザリングの噛合歯の前記稜線の角度が、前記スリーブの内周スプラインの端部における前記稜線の傾斜角度より小さいことを特徴とする請求項４に記載の同期装置。
【請求項６】
前記シンクロナイザリングの噛合歯の端部のチャンファ角が、前記スリーブの内周スプラインの大径側でのチャンファ角と実質的に等しいことを特徴とする請求項１ないし請求項５のうちいずれか１の請求項に記載の同期装置。
【請求項７】
前記ギヤピースの外周スプラインの端部のチャンファ角が、前記スリーブの内周スプラインの小径側でのチャンファ角と実質的に等しいかそれより小さいことを特徴とする請求項１ないし請求項６のうちいずれか１の請求項に記載の同期装置。
【発明の詳細な説明】
【技術分野】
【０００１】
本発明は、歯車式変速機に設けられる同期装置、特に回転軸と一体に回転する軸方向移動可能なスリーブをギヤピースの外周スプラインに噛合させるときにシンクロナイザリングを介して両者を同期回転させる同期装置に関する。
【背景技術】
【０００２】
歯車式変速機には、動力伝達用の回転軸と変速により連結されるべき変速段のギヤピースとの回転を予め同期させることで、変速段の切換えを容易かつ迅速に行うことを可能にする同期装置（同期噛合装置）が設けられている。このような同期装置においては、回転軸と一体に回転するハブにスリーブを軸方向移動可能に装着し、そのスリーブのスプラインをギヤピースの外周スプラインに噛合させて変速するときに、スリーブとギヤピースの間に設けたシンクロナイザリングがギヤピース側のコーン部に摩擦係合することで、ギヤピースがスリーブスプラインとの噛合前からスリーブと同期回転し、スリーブスプラインとギヤピースの外周スプラインが円滑に噛合できるようになっている。
【０００３】
従来のこの種の同期装置としては、例えばスリーブの内周スプラインのチャンファ部において歯元側と歯先側のチャンファ角に差を持たせ、シンクロナイザリングの噛合歯の歯元部に接触噛合するスリーブ内周スプラインの歯先側のチャンファ角を大きくし、遊転歯車であるギヤピースの外周スプラインの歯先側に接触・噛合するスリーブ内周スプラインの歯元側のチャンファ角を小さくしたものが知られている（例えば、特許文献１参照）。
【０００４】
また、シンクロナイザリングのコーン角を持つ内周摩擦面とシンクロナイザリングの噛合歯のチャンファ角とを関連付けて相互の設定範囲を特定し、シフト操作力の低減とギヤピースのコーン部へのシンクロナイザリングの食付きを抑制するようにしたものが知られている（例えば、特許文献２参照）。
【０００５】
さらに、スリーブに、異なるチャンファ角とチャンファ部の軸方向段差とを持たせたシンクロ用スプラインと外周スプラインを設けるとともに、シンクロナイザリングの噛合歯は、スリーブのギヤピース用スプラインに対応する範囲で欠歯させることで、スリーブの外周スプラインとギヤピースの外周スプラインとの噛合い代の長さを確保し、シフトストロークを増加させることなく、ギヤ抜けを防止するようにしたものも知られている（例えば、特許文献３参照）。
【０００６】
また、シンクロナイザリングを、内側のコーン状の摩擦面を有する本体と、その本体の外周に一定範囲内で回動可能に設けられたチャンファ部とによって構成し、スリーブのチャンファ角をシンクロナイザリングのチャンファ角より小さくしながらも、両者の接触時に、チャンファ部をスリーブ側のチャンファ面に追従させることで、面圧を低下させ、耐久性を向上させるようにしたものが知られている（例えば、特許文献４参照）。
【特許文献１】特開２０００−２４０６８３号公報
【特許文献２】特開平１１−３２５１１５号公報
【特許文献３】特開平０８−０４２５９６号公報
【特許文献４】特開平０６−１７３９７０号公報
【発明の開示】
【発明が解決しようとする課題】
【０００７】
しかしながら、従来の同期装置にあっては、スプラインのチャンファ形状が専ら同期装置の同期性能確保のために決定され、シンクロナイザリングの噛合歯のチャンファ角が比較的大きく、それに対応するスリーブスプラインのチャンファ角が決定されていたため、いわゆる２段入りの操作を生じる荷重（スリーブスプラインによるギヤピースの外周スプラインの押分けに必要な荷重；以下、２段入り荷重）が大きくなっていた。
【０００８】
これに対し、上述した特許文献１〜４に記載のもののように構成すると、２段入り荷重をある程度低減させることが期待できるが、これら従来例のいずれにあっても、部品の加工が容易でない形状であったり追加部品が必要で構成が複雑になったりしてしまい、コスト高になってしまうという問題があった。
【０００９】
そこで、本発明は、加工が容易な部品から構成の簡素な低コストの変速機用の同期装置を提供することを目的とする。
【課題を解決するための手段】
【００１０】
本発明は、上記目的達成のため、（１）回転軸に対し回転方向に一体でかつ軸方向に移動可能に支持された内周スプライン付のスリーブと、前記スリーブが軸方向に移動するとき前記スリーブの内周スプラインに噛合する外周スプラインおよび前記スリーブ側に向かって軸方向に突出するコーン部を有するギヤピースと、前記スリーブおよび前記ギヤピースの間に位置し、前記スリーブが軸方向に移動するとき前記スリーブの内周スプラインに噛合する外側の噛合歯および前記ギヤピースのコーン部に係合する傾斜摩擦面を有するシンクロナイザリングと、を備え、前記スリーブの内周スプラインの端部と、該内周スプラインの端部に対向する前記ギヤピースの外周スプラインおよび前記シンクロナイザリングの噛合歯の端部とが、それぞれ軸方向に尖ったチャンファ形状を有する同期装置において、前記スリーブの内周スプラインの端部が、前記内周スプラインの小径側でのチャンファ角が小さく前記内周スプラインの大径側でのチャンファ角が大きくなるよう小径側と大径側で異なるチャンファ角を有し、前記シンクロナイザリングの噛合歯の端部が、前記スリーブの内周スプラインの大径側に係合し、前記ギヤピースの外周スプラインの端部が、前記スリーブの内周スプラインの小径側に係合するよう該外周スプラインの小径部側ほど前記スリーブ側に向かって突出していることを特徴とする。
【００１１】
この構成により、シンクロナイザリングの噛合歯の端部がスリーブの内周スプラインの大径側に、ギヤピースの外周スプラインの端部がスリーブの内周スプラインの小径側に、それぞれ係合することから、これら２つの係合を同一チャンファ角のチャンファ形状で実行する場合に比べて、シンクロナイザに比較的大きなチャンファ角を設定して同期性能を確保しながらも、スリーブスプラインによるギヤピースの押分け荷重を低減することができる。したがって、同期性能の確保と２段入り荷重に相当する操作力の低減とを両立させることができる。しかも、スリーブの内周スプラインの小径側でのチャンファ角が小さく、シンクロナイザリングの噛合歯に噛合する内周スプラインの大径側でのチャンファ角が大きくなることから、スリーブの加工が容易となり、構成の簡素な低コストの同期装置となる。
【００１２】
上記（１）記載の同期装置においては、（２）前記ギヤピースの外周スプラインの端部が、予め設定された半径位置から大径側を切り欠いた形状をなし、前記スリーブの内周スプラインの小径側に係合するのが好ましい。
【００１３】
この構成により、スリーブの内周スプラインの内径側とギヤピースの外周スプラインの小径側が早期に噛合するとともに、その噛合時におけるスリーブとギヤピースの機械的干渉も回避される。また、その大径側の切り欠きも、通常の面取り加工と同様に容易にできる。
【００１４】
上記（１）、（２）記載の同期装置においては、（３）前記内周スプラインの小径側から前記内周スプラインの大径側へと前記チャンファ角が連続的に大きくなっているのが好ましい。
【００１５】
この構成により、スリーブの内周スプラインのチャンファ部の加工が容易化される。
【００１６】
上記（１）〜（３）記載の同期装置においては、（４）前記スリーブの内周スプラインの端部および前記シンクロナイザリングの噛合歯の端部が、互いに大径側で近付くように傾斜した尖端の稜線を有するのが好ましい。
【００１７】
この構成では、スリーブの内周スプラインの端部およびシンクロナイザリングの噛合歯の端部が、互いに大径側で接触し噛合することになるので、スリーブの内周スプラインとシンクロナイザリングの噛合歯との係合時に同期性能確保に要する十分なチャンファ角を設定できる。
【００１８】
上記（４）記載の同期装置においては、（５）前記シンクロナイザリングの噛合歯の前記稜線の角度が、前記スリーブの内周スプラインの端部における前記稜線の傾斜角度より小さいことが望ましい。
【００１９】
この構成では、スリーブの内周スプラインの端部およびシンクロナイザリングの噛合歯の端部が、それぞれ容易に加工できるとともに、噛合状態の切換えも円滑になる。
【００２０】
上記（１）〜（５）記載の同期装置においては、（６）前記シンクロナイザリングの噛合歯の端部のチャンファ角が、前記スリーブの内周スプラインの大径側でのチャンファ角と実質的に等しいのが好ましい。
【００２１】
この構成により、スリーブの内周スプラインがその大径側でシンクロナイザリングの噛合歯の端部に接触するとき、同期性能の確保に要する十分なチャンファ角で両者が接触することになる。
【００２２】
上記（１）〜（６）記載の同期装置においては、（７）前記ギヤピースの外周スプラインの端部のチャンファ角が、前記スリーブの内周スプラインの小径側でのチャンファ角と実質的に等しいかそれより小さいのが好ましい。
【００２３】
この構成により、スリーブの内周スプラインの小径側がギヤピースの外周スプラインの端部に接触するとき、スリーブがギヤピースを押し分けるのに要する押分け力が軽減される。
【００２４】
なお、前記スリーブの内周スプラインの端部、前記ギヤピースの外周スプラインの端部および前記シンクロナイザリングの噛合歯の端部は、それぞれ周方向に隣接するとともに互いに交差して稜線を形成する各一対の側方のチャンファ面を有しているのがよい。
【発明の効果】
【００２５】
本発明の同期装置によれば、シンクロナイザリングの噛合歯の端部をスリーブの内周スプラインの大径側に、ギヤピースの外周スプラインの端部をスリーブの内周スプラインの小径側に、それぞれ係合させるようにしているので、これらの係合を同一チャンファ角のチャンファ形状で実行する場合に比べ、シンクロナイザに比較的大きなチャンファ角を設定して同期性能を確保しながらも、スリーブスプラインによるギヤピースの押分け荷重を最適化することができ、同期性能の確保と２段入り荷重に相当する操作力の低減とを両立させることができる。しかも、スリーブの内周スプラインの小径側でのチャンファ角が小さく、シンクロナイザリングの噛合歯に噛合する内周スプラインの大径側でのチャンファ角が大きくなっているので、スリーブの加工が容易で構成の簡素な低コストの同期装置を提供することができる。
【発明を実施するための最良の形態】
【００２６】
以下、本発明の好ましい実施の形態について、図面を参照しつつ説明する。
【００２７】
図１は、本発明の一実施形態に係る同期装置の要部断面図であり、図２（ａ）は、図１のＡ−Ａ断面図、図２（ｂ）は、図１のＢ−Ｂ断面図である。
【００２８】
まず、その構成について説明する。
【００２９】
図１および図２に示すように、本実施形態の同期装置は、図示しない車両用の手動変速機の変速機ケース内に回転自在に設けられた回転軸１１、例えばエンジンからの駆動回転を入力するメイン軸あるいはこれと平行に配置されたカウンタ軸に装着されている。
【００３０】
回転軸１１には、シンクロ用ハブ１２がその内周部でスプライン嵌合するとともにその軸方向両端部で軸方向に位置決めされ、回転軸１１に一体的に支持されている。
【００３１】
シンクロ用ハブ１２の外周には内周スプライン１５ａ付のシンクロ用スリーブ１５がスプライン嵌合しており、このシンクロ用スリーブ１５はシンクロ用ハブ１２が装着された回転軸１１に対して回転方向に一体でかつ軸方向に移動可能に支持されている。また、シンクロ用スリーブ１５の外周側には外周環状溝１５ｂが形成されており、この外周環状溝１５ｂに係合する図示しないシフトフォークによって、シンクロ用スリーブ１５が図外のシフトレバーの操作に応じて軸方向に移動操作されるようになっている。
【００３２】
回転軸１１上のシンクロ用ハブ１２の軸方向両側には、一対の変速ギヤ１３（図１中には片側のみ図示している）、例えば１速ギヤおよび２速ギヤ、あるいは、３速ギヤおよび４速ギヤが配置されており、１速ギヤおよび２速ギヤのいずれか、あるいは、３速および４速ギヤのいずれかである各変速ギヤ１３には、外歯状の外周スプライン２１と、中心軸線に対し傾斜したテーパ状の摩擦面２２ａを有しシンクロ用スリーブ１５側に向かって軸方向に突出するコーン部２２とが、それぞれ一体に設けられている。
【００３３】
シンクロ用スリーブ１５とシンクロ用ハブ１２の間には、周方向等間隔に複数のシンクロナイザキー１６が放射外方側に付勢されて介装されており、それら複数のシンクロナイザキー１６の外面側に設けられた台形断面の突起１６ａがシンクロ用スリーブ１５の内周環状溝１５ｃに嵌合することで、シンクロ用スリーブ１５およびシンクロナイザキー１６は、軸方向に一体的に移動できるようになっている。
【００３４】
また、シンクロ用スリーブ１５とギヤピース１４の間には、コーン部２２を取り囲むシンクロナイザリング１７が設けられており、シンクロ用スリーブ１５およびシンクロナイザキー１６が一体的に軸方向に移動するとき、シンクロナイザキー１６の端部でシンクロナイザリング１７が軸方向に押圧され、その内周部でコーン部２２の傾斜摩擦面２２ａに押し当てられるようになっている。このシンクロナイザリング１７の内周部には、コーン部２２の傾斜摩擦面２２ａに面接触し摩擦係合するテーパ状の傾斜摩擦面１７ａが形成されている。なお、シンクロナイザリング１７の中心軸線に対してコーン部２２の摩擦面２２ａが傾斜している角度γをコーン角という。
【００３５】
シンクロナイザリング１７のシンクロ用スリーブ１５側である軸方向一方側には、シンクロナイザキー１６の端部を収納する側面凹部１７ｃが形成されており、シンクロ用スリーブ１５とシンクロナイザリング１７は、シンクロナイザキー１６を介して両者間の相対回転角度を制限されるようになっている。
【００３６】
また、シンクロナイザリング１７は、シンクロ用スリーブ１５が軸方向に移動するときにシンクロ用スリーブ１５の内周スプライン１５ａに噛合する外側の噛合歯１７ｂを有しており、この外側の噛合歯１７ｂおよび外周スプライン２１は、それぞれシンクロ用スリーブ１５の内周スプライン１５ａに噛合可能なスプライン形状を有している。
【００３７】
前述のシンクロ用スリーブ１５の内周スプライン１５ａの端部、その内周スプライン１５ａの端部に対向するギヤピース１４の外周スプライン２１の端部、および、シンクロナイザリング１７の噛合歯１７ｂの端部は、それぞれ軸方向に尖った形状をなすよう両側面側にチャンファ形状を有し、両側のチャンファ面同士が交差する部分に尖端の稜線を形成している。なお、各端部（軸方向の任意の一端部；チャンファ部）で両側のチャンファ面同士が交差する角度α（図２参照）を、チャンファ角といい、各端部の稜線が軸方向と直角な面に対してなす角度β（図１参照）を、稜線角という。
【００３８】
一方、シンクロ用スリーブ１５の内周スプライン１５ａ（各スプライン歯）の端部は、内周スプライン１５ａの小径側でのチャンファ角α１が小さく、内周スプライン１５ａの大径側でのチャンファ角α２が大きくなるように、小径側と大径側で異なるチャンファ角α１、α２（＞α１）を有しており、内周スプライン１５ａの小径側から内周スプライン１５ａの大径側へとチャンファ角αが連続的に大きくなっている。
【００３９】
また、シンクロ用スリーブ１５の内周スプライン１５ａの端部およびシンクロナイザリング１７の噛合歯１７ｂの端部は、互いに大径側で近付くように傾斜した尖端の稜線Ｅ１、Ｅ２を有しており、シンクロナイザリング１７の噛合歯１７ｂの稜線角β２は、シンクロ用スリーブ１５の内周スプライン１５ａの稜線角β１より小さく（β２＜β１）、その傾斜角度β２が予め設定された小角度範囲内に設定されている。
【００４０】
さらに、ギヤピース１４の外周スプライン２１の小径部側ほどシンクロ用スリーブ１５側に向かって突出するように、シンクロ用スリーブ１５に対向する端部において、ギヤピース１４の外周スプライン２１は予め設定された半径位置から大径部側が例えば面取りにより切り欠かれている。
【００４１】
具体的には、例えばギヤピース１４の外周スプライン２１の端部は、予め設定された半径位置（例えば歯丈の１／２の高さ位置）からギヤピース１４の軸方向中央側に傾斜しつつ大径側ほど周方向に幅広くなる略扇形の外方のチャンファ面１４ｆを有している。
【００４２】
そして、シフトレバー操作に応じてシンクロ用スリーブ１５が変速後の変速ギヤ１３側に軸方向に移動するとき、シンクロ用スリーブ１５の内周スプライン１５ａの大径側にシンクロナイザリング１７の噛合歯１７ｂの端部が係合し、シンクロ用スリーブ１５の内周スプライン１５ａの小径側にギヤピース１４の外周スプライン２１の端部が係合するようになっている。
【００４３】
図２（ａ）および図３（ｂ）に示すように、シンクロナイザリング１７の噛合歯１７ｂの端部のチャンファ角α３は、シンクロ用スリーブ１５の内周スプライン１５ａの大径側でのチャンファ角α２と実質的に等しくなっており、一方、図２（ａ）および図４（ｂ）に示すように、ギヤピース１４の外周スプライン２１の端部のチャンファ角α４は、シンクロ用スリーブ１５の内周スプライン１５ａの小径側でのチャンファ角α１と実質的に等しいかそれ以下に設定されている。
【００４４】
次に、作用について説明する。
【００４５】
上述のように構成された本実施形態の同期装置では、図２〜図４に示すように、変速操作に応じてシンクロ用スリーブ１５の内周スプライン１５ａが軸方向に移動するときは、シンクロナイザリング１７の噛合歯１７ｂの端部がシンクロ用スリーブ１５の内周スプライン１５ａの端部の大径側に、ギヤピース１４の外周スプライン２１の端部がシンクロ用スリーブ１５の内周スプライン１５ａの端部の小径側に、それぞれ係合する。したがって、これら２つの係合を同一チャンファ角のチャンファ形状で実行する場合に比べ、シンクロナイザリング１７の噛合歯１７ｂに比較的大きなチャンファ角α３を設定して同期性能を確保しながらも、ギヤピース１４の外周スプライン２１のチャンファ角α４を小さく抑えて内周スプライン１５ａ（スリーブスプライン）によるギヤピース１４の押分け荷重を最適化することができ、同期性能の確保と２段入り荷重に相当する操作力低減とを両立させることができる。しかも、シンクロ用スリーブ１５の内周スプライン１５ａの小径側でのチャンファ角α１が小さく、シンクロナイザリング１７の噛合歯１７ｂに噛合する内周スプライン１５ａの大径側でのチャンファ角α２が大きくなっているので、シンクロ用スリーブ１５の加工が加工数の少ない容易なものとなり、部品点数も少ない構成の簡素な低コストの同期装置となる。
【００４６】
また、本実施形態においては、ギヤピース１４の外周スプライン２１の端部が、予め設定された半径位置から大径側を切り欠いた形状（図１参照）をなし、シンクロ用スリーブ１５の内周スプライン１５ａの小径側に係合するので、シンクロ用スリーブ１５の内径側とギヤピース１４の外周スプライン２１の小径側が早期に噛合するとともに、その噛合時におけるシンクロ用スリーブ１５とギヤピース１４の機械的干渉も回避される。また、外方のチャンファ面１４ｆも通常の面取り加工と同様に容易にできる。
【００４７】
さらに、シンクロ用スリーブ１５の内周スプライン１５ａの小径側から内周スプライン１５ａの大径側へとチャンファ角α１、α２が連続的に大きくなっているので、内周スプライン１５ａの端部の加工が容易化される。
【００４８】
加えて、図１に示すように、シンクロ用スリーブ１５の内周スプライン１５ａの端部とシンクロナイザリング１７の噛合歯１７ｂの端部とが、互いに大径側で近付くように傾斜した尖端の稜線Ｅ１、Ｅ２を有するので、図３（ｂ）に示すように、シンクロ用スリーブ１５の内周スプライン１５ａの端部およびシンクロナイザリング１７の噛合歯１７ｂの端部が、互いに大径側で接触し噛合することになり、シンクロ用スリーブ１５の内周スプライン１５ａとシンクロナイザリング１７の噛合歯１７ｂのチャンファ角を同期性能確保に要する十分な大きさに設定することができる。
【００４９】
また、シンクロナイザリング１７の噛合歯１７ｂの稜線Ｅ２の傾斜角度β２が、シンクロ用スリーブ１５の内周スプライン１５ａの端部における稜線Ｅ１の傾斜角度β１より小さいので、シンクロ用スリーブ１５の内周スプライン１５ａの端部およびシンクロナイザリング１７の噛合歯１７ｂの端部が、それぞれ容易に加工できるとともに、噛合状態の切換えも円滑になる。
【００５０】
さらに、図２〜図４に示すように、シンクロナイザリング１７の噛合歯１７ｂの端部のチャンファ角α３が、シンクロ用スリーブ１５の内周スプラインの大径側でのチャンファ角α２と実質的に等しいので、シンクロナイザリング１７の噛合歯１７ｂの端部とシンクロ用スリーブ１５の内周スプライン１５ａの端部とが、同期性能の確保に要する十分なチャンファ角で接触することになる。
【００５１】
一方、ギヤピース１４の外周スプライン２１の端部のチャンファ角α４は、シンクロ用スリーブ１５の内周スプライン１５ａの小径側でのチャンファ角α２と実質的に等しいかそれより小さいので、シンクロ用スリーブ１５の内周スプライン１５ａの小径側がギヤピース１４の外周スプラインの端部に接触するとき、シンクロ用スリーブ１５がギヤピース１４を押し分けるのに要する押分け力が軽減されることになる。
【００５２】
このように、本実施形態の同期装置によれば、シンクロナイザリング１７の噛合歯１７ｂの端部をシンクロ用スリーブ１５の内周スプライン１５ａの大径側に、ギヤピース１４の外周スプライン２１の端部をシンクロ用スリーブ１５の内周スプライン１５ａの小径側に、それぞれ係合させるようにしているので、これらの係合を同一チャンファ角のチャンファ形状で実行する場合に比べ、シンクロナイザリング１７に比較的大きなチャンファ角を設定して同期性能を確保しながらも、シンクロ用スリーブ１５によるギヤピース１４の押分け荷重を最適化することができ、同期性能の確保と２段入り荷重に相当する操作力の低減とを両立させることができる。しかも、シンクロ用スリーブ１５の内周スプライン１５ａの小径側でのチャンファ角α１が小さく、シンクロナイザリング１７の噛合歯１７ｂに噛合する内周スプライン１５ａの大径側でのチャンファ角α２が大きくなっているので、シンクロ用スリーブ１５の加工が容易で構成の簡素な低コストの同期装置を提供することができる。
【００５３】
なお、上述の実施形態においては、稜線部は、エッジでなく丸められたりわずかに面取り加工されたりしたものでもよく、チャンファ面は、平坦面に限らずわずかに湾曲していてもよい。また、上述の実施形態においては、シンクロナイザキーを用いる同期装置としたが、必ずしもこれに限定されるものではない。さらに、上述の実施形態においては、シンクロ用スリーブの両側にそれぞれ変速ギヤ（例えば、１速・２速ギヤあるいは３速・４速ギヤ）が配置されるものとして説明したが、シンクロ用スリーブの片側にのみ変速ギヤ（例えば、５速ギヤ）が配置されてもよい。
【００５４】
以上説明したように、本発明に係る同期装置は、シンクロナイザリングの噛合歯の端部をスリーブの内周スプラインの大径側に、ギヤピースの外周スプラインの端部をスリーブの内周スプラインの小径側に、それぞれ係合させるようにしているので、これらの係合を同一チャンファ角のチャンファ形状で実行する場合に比べ、シンクロナイザに比較的大きなチャンファ角を設定して同期性能を確保しながらも、スリーブスプラインによるギヤピースの押分け荷重を最適化して、同期性能の確保と２段入り荷重に相当する操作力の低減とを両立させることができ、しかも、スリーブの内周スプラインの小径側でのチャンファ角が小さく、シンクロナイザリングの噛合歯に噛合する内周スプラインの大径側でのチャンファ角が大きくなっているので、スリーブの加工が容易で構成の簡素な低コストの同期装置を提供することができるという効果を奏するものであり、歯車式変速機に設けられる同期装置、特に回転軸と一体に回転する軸方向移動可能なスリーブをギヤピースの外周スプラインに噛合させるときにシンクロナイザリングを介して両者を同期回転させる同期装置全般に有用である。
【図面の簡単な説明】
【００５５】
【図１】本発明の一実施形態に係る同期装置の要部断面図である。
【図２】（ａ）は、図１のＡ−Ａ断面図、（ｂ）は、図１のＢ−Ｂ断面図である。
【図３】一実施形態の同期装置における変速開始から同期段階に至るまでの主要部品の動きを示す動作説明図である。
【図４】一実施形態の同期装置における同期段階から変速完了までの主要部品の動きを示す動作説明図である。
【符号の説明】
【００５６】
１１  回転軸
１２  シンクロ用ハブ
１３  変速ギヤ
１４  ギヤピース
１４ｆ  外方のチャンファ面
１５  シンクロ用スリーブ
１５ａ  内周スプライン（スリーブスプライン）
１５ｂ  外周環状溝
１５ｃ  内周環状溝
１６  シンクロナイザキー
１６ａ  突起
１７  シンクロナイザリング
１７ａ  傾斜摩擦面
１７ｂ  噛合歯
１７ｃ  側面凹部
２１  外周スプライン
２２  コーン部
２２ａ  傾斜摩擦面
Ｅ１、Ｅ２  稜線
α  チャンファ角
α１  チャンファ角（スリーブスプラインの小径側のチャンファ角）
α２  チャンファ角（スリーブスプラインの大径側のチャンファ角）
α３  チャンファ角（シンクロナイザの噛合歯のチャンファ角）
α４  チャンファ角（ギヤピースのギヤ用スプラインのチャンファ角）
β１、β２  稜線角（傾斜角度）
γ  コーン角
【図１】
2009236180.tif 000003
【図２】
2009236180.tif 000004
【図３】
2009236180.tif 000005
【図４】
2009236180.tif 000006